(57)【要約】【課題】  ファイナライズ処理の中断と再開を任意に行なうことができる情報処理装置及び情報処理方法を提供する。【解決手段】  記録済領域（Ｒ）と未記録領域（Ｔ，ｍ）と管理領域（ＲＭＤ）をもつ記録媒体にレーザ光を照射してデータを記録し反射光を検出するヘッド部と、記録媒体の未記録領域にパタンデータを記録してファイナライズ処理を行ない、中断指示に応じてこのファイナライズ処理を中断し、ファイナライズ処理の中断位置を記録媒体の管理情報に記録するべくヘッド部を制御する制御部を有する情報記録装置。【選択図】図１
2008010116.tif 000002
【特許請求の範囲】
【請求項１】
記録済領域と未記録領域と管理領域をもつ記録媒体にレーザ光を照射してデータを記録し反射光を検出するヘッド部と、
前記記録媒体の前記未記録領域にパタンデータを記録してファイナライズ処理を行ない、中断指示に応じてこのファイナライズ処理を中断し、ファイナライズ処理の中断位置を前記記録媒体の管理情報に記録するべく前記ヘッド部を制御する制御部を具備することを特徴とする情報記録装置。
【請求項２】
前記制御部は、前記ファイナライズ処理の中断位置を前記記録媒体の記録マネジメント情報のＦｉｅｌｄ０のバイト位置２のディスク状態情報として記録することを特徴とする請求項１記載の情報記録装置。
【請求項３】
前記制御部は、前記記録媒体上の所定領域のファイナライズ処理を行なっている間に前記中断指示を受けると、前記所定領域のファイナライズ処理が完了するまでファイナライズ処理を継続し、前記所定領域のファイナライズ処理が完了したら、前記記録媒体のファイナライズ処理を中断し、ファイナライズ処理の中断位置を前記記録媒体の管理情報に記録することを特徴とする請求項１記載の情報記録装置。
【請求項４】
前記制御部は、ファイナライズ処理を行なっていない領域が所定領域のみであるときに前記中断指示を受けると、ファイナライズ処理を中断することなく前記所定領域のファイナライズ処理を最後まで継続することを特徴とする請求項１記載の情報記録装置。
【請求項５】
前記制御部は、前記ヘッド部から受けた情報に基づき前記記録媒体の状態を確認し、前記ファイナライズ処理の中断又は完了までに必要な記録量を外部の装置に出力することを特徴とする請求項１記載の情報記録装置。
【請求項６】
前記制御部は、再開指示を受けるとこれに応じて前記管理情報を読み出し、これに基づいて前記ファイナライズ処理を再開することを特徴とする請求項１記載の情報記録装置。
【請求項７】
前記制御部は、新たな記録媒体が与えられると前記ヘッド部でその記録媒体の管理情報を読み取り、前記管理情報に基づいてその記録媒体がファイナライズ処理を中断したことを検出した場合、指示信号がなくともその記録媒体のファイナライズ処理を再開することを特徴とする請求項１記載の情報記録装置。
【請求項８】
前記制御部は、新たな記録媒体が与えられると前記ヘッド部でその記録媒体の管理情報を読み取り、前記管理情報に基づいてその記録媒体がファイナライズ処理を中断したことを検出した場合、その記録媒体がファイナライズ処理を中断したことを知らせファイナライズ処理の再開を促す画面表示を行ない、再開指示を受けるとその記録媒体に対してファイナライズ処理を再開することを特徴とする請求項１記載の情報記録装置。
【請求項９】
記録済領域と未記録領域と管理領域をもつ記録媒体に対して、前記未記録領域にパタンデータを記録してファイナライズ処理を行ない、
中断指示に応じてこのファイナライズ処理を中断し、
前記ファイナライズ処理の中断位置を前記記録媒体の管理情報に記録することを特徴とする情報記録方法。
【請求項１０】
前記ファイナライズ処理の中断位置を前記記録媒体の記録マネジメント情報のＦｉｅｌｄ０のバイト位置２のディスク状態情報として記録することを特徴とする請求項９記載の情報記録方法。
【請求項１１】
前記記録媒体上の所定領域のファイナライズ処理を行なっている間に前記中断指示を受けると、前記所定領域のファイナライズ処理が完了するまでファイナライズ処理を継続し、
前記所定領域のファイナライズ処理が完了したら、前記記録媒体のファイナライズ処理を中断し、ファイナライズ処理の中断位置を前記記録媒体の管理情報に記録することを特徴とする請求項９記載の情報記録方法。
【請求項１２】
ファイナライズ処理を行なっていない領域が所定領域のみであるときに前記中断指示を受けると、ファイナライズ処理を中断することなく前記所定領域のファイナライズ処理を最後まで継続することを特徴とする請求項９記載の情報記録方法。
【請求項１３】
前記ヘッド部から受けた情報に基づき前記記録媒体の状態を確認し、前記ファイナライズ処理の中断又は完了までに必要な記録量を外部の装置に出力することを特徴とする請求項９記載の情報記録方法。
【請求項１４】
再開指示を受けるとこれに応じて前記管理情報を読み出し、前記管理情報に基づいて前記ファイナライズ処理を再開することを特徴とする請求項９記載の情報記録方法。
【請求項１５】
新たな記録媒体が与えられるとその記録媒体の管理情報を読み取り、前記管理情報に基づいてその記録媒体がファイナライズ処理を中断したことを検出した場合、指示信号がなくともその記録媒体のファイナライズ処理を再開することを特徴とする請求項９記載の情報記録方法。
【請求項１６】
新たな記録媒体が与えられるとその記録媒体の管理情報を読み取り、
前記管理情報に基づいてその記録媒体がファイナライズ処理を中断したことを検出した場合、その記録媒体がファイナライズ処理を中断したことを知らせファイナライズ処理の再開を促す画面表示を行ない、
再開指示を受けるとその記録媒体に対してファイナライズ処理を再開することを特徴とする請求項９記載の情報記録方法。
【請求項１７】
記録済領域と未記録領域と管理領域をもつ記録媒体を扱う情報記録装置に対して、前記未記録領域にパタンデータを記録してファイナライズ処理を行なわせる指示信号を供給する機能と、
このファイナライズ処理の中断処理の指示信号を供給する機能と、
前記ファイナライズ処理の中断処理の処理情況を表示する表示信号を出力する機能と、
を有する情報処理装置。
【請求項１８】
記録済領域と未記録領域と管理領域をもつ記録媒体を扱う情報記録装置に対して、前記未記録領域にパタンデータを記録してファイナライズ処理を行なわせるべく駆動信号を供給し、
中断指示に応じてこのファイナライズ処理の中断処理のための駆動信号を前記情報記録装置に対して供給し、
前記ファイナライズ処理の中断位置を検出すると、この位置情報を前記記録媒体の管理情報に記録するための駆動信号を前記情報記録装置に対して供給することを特徴とする情報処理方法。
【請求項１９】
前記ファイナライズ処理中は、ファイナライズ処理の中断指示を受けるための操作画面の表示信号を表示装置に供給することを特徴とする請求項１８記載の情報記録方法。
【請求項２０】
前記ファイナライズ処理の中断指示を受けると、中断処理が完了するまでの処理情況を画面表示する請求項１８記載の情報処理方法。
【請求項２１】
新たな記録媒体が前記情報記録装置に与えられたことを検出すると、前記情報記録装置にその記録媒体の管理情報を読み取らせ、
前記管理情報に基づいてその記録媒体がファイナライズ処理を中断したことを検出した場合、その記録媒体がファイナライズ処理を中断したことを知らせファイナライズ処理の再開を促す画面表示を行ない、
再開指示を受けるとその記録媒体に対してファイナライズ処理を再開するべく前記情報記録装置に指示することを特徴とする請求項１８記載の情報処理方法。
【発明の詳細な説明】
【技術分野】
【０００１】
本発明は片面に複数の記録層を設けた情報記録媒体を扱う情報記録装置、情報記録方法、情報処理装置、情報処理方法に関する。
【背景技術】
【０００２】
映像信号等の大量な情報を記録できる記録媒体として、ＤＶＤ（デジタル・バーサタイル・ディスク）が普及している。これにより、２時間程度の映画をＤＶＤに記録し、再生装置により情報を再生することにより家庭で自由に映画を見ることが出来るようになった。また、光ディスク装置には一般に再生専用装置と記録再生装置がある。ここで、大半の再生専用装置は再生専用の光ディスク（例えばＤＶＤ−ＲＯＭ）にあわせた設計がなされているため、記録前の記録型光ディスクや、記録途中の記録型光ディスクを再生するのが困難である。
【０００３】
そこで、記録型の光ディスクを再生専用装置で再生しやすくするために、ファイナライズという処理がある。これは、ディスクの記録状態を再生専用ディスクと物理的に近い形になるようにユーザデータの記録後の未記録領域にパタンデータを記録して、管理情報やＤＰＤトラッキングサーボのオーバーヘッダ領域となるダミー領域とする処理である。
【０００４】
しかしながら、このファイナライズには非常に時間のかかる場合がある。特に２層ディスクの場合、ユーザデータの記録が１つの層のみで終了した際は、他方の層の対応する領域をすべてダミーデータで埋める必要がある場合があり、このような条件ではファイナライズに１時間以上を有する可能性がある。加えて、現在の記録型ＤＶＤシステムではファイナライズの中断処理が定められておらず、ユーザは一旦ファイナライズを始めたら、１時間以上光ディスク装置を操作できない、光ディスク装置がつながっているパーソナルコンピュータ等の電源を切ることができない、強制的に電源を切った場合には記録中のデータが壊れたり、ファイナライズの再開ができない場合がある。
【０００５】
これに対し、特許文献１は、光ディスク装置のフラッシュメモリ等の一時記憶メモリに記録状態を示す情報を保存することでファイナライズの中断及び再開を可能にしている。
【特許文献１】特開２００４−２１３７６９公報。
【発明の開示】
【発明が解決しようとする課題】
【０００６】
しかしながら特許文献１の従来技術では、中断状態のディスクを取り出した場合、他のドライブでの互換性がない、中断中にディスクの入れ替えができないという使い勝手の悪さがある。従って、従来の光ディスク装置ではファイナライズ処理を中断した後に、他のディスクのファイナライズ処理を行なえない。又、ファイナライズ処理を中断したディスクを他のレコーダ等でファイナライズ処理の再開を行なえないという問題がある。
【０００７】
本発明は、ファイナライズ処理の中断と再開を任意に行なうことができる情報処理装置及び情報処理方法を提供することを目的とする。
【課題を解決するための手段】
【０００８】
本発明の一実施形態は、
記録済領域（Ｒ）と未記録領域（Ｔ，ｍ）と管理領域（ＲＭＤ）をもつ記録媒体（１０）にレーザ光を照射してデータを記録し反射光を検出するヘッド部（２１）と、
前記記録媒体の前記未記録領域にパタンデータを記録してファイナライズ処理を行ない、中断指示に応じてこのファイナライズ処理を中断し、ファイナライズ処理の中断位置を前記記録媒体の管理情報に記録するべく前記ヘッド部を制御する制御部（２９）を具備することを特徴とする情報記録装置である。
【発明の効果】
【０００９】
比較的時間のかかるファイナライズ処理を任意に中断し再開することができる。又、中断情報をディスク中に格納するため、一度、ファイナライズ処理を中断したディスクに対して、他のレコーダで残りのファイナライズ処理を完了させるということも可能となる。
【発明を実施するための最良の形態】
【００１０】
以下、図面を参照して本発明による情報記録媒体、情報記録装置、情報記録方法の実施の形態を説明する。
【００１１】
図１は、本発明の一実施形態に係る情報記録再生システムの構成の一例を示す説明図。図２は、本発明の一実施形態に係る情報記録再生システムの他の構成の一例を示す説明図。図３は、本発明の一実施形態に係る光ディスク装置の構成の一例を示すブロック図。図４は、本発明の一実施形態に係る複数の情報記録再生層を有する２層光ディスクの構成の一例を示す説明図。図５は、本発明の一実施形態に係る複数の情報記録再生層を有する２層光ディスクの各レイヤーのレイアウトの一例を示す説明図。図６は、本発明の一実施形態に係る２層光ディスクの層間クロストークを説明するための説明図。図７は、本発明の一実施形態に係る２層光ディスクのクリアランスークを説明するための説明図。図８は、本発明の一実施形態に係る光ディスクにおけるクリアランス（記録禁止領域）を説明する説明図。図９は、本発明の一実施形態に係る２層光ディスクの記録可能領域の詳細なレイアウトの一例を示す説明図。図１０は、本発明の一実施形態に係る２層光ディスクのレイヤー０に設けられたエンボス領域のフォーマット情報の内容を示す説明図。図１１は、本発明の一実施形態に係る２層光ディスクのデータエリア構造の詳細な内容を示す説明図。図１２は、本発明の一実施形態に係る２層光ディスクの記録可能管理領域のフォーマット情報の詳細な内容を示す説明図。図１３は、本発明の一実施形態に係る２層光ディスクの記録可能管理領域のフォーマット情報におけるデータエリア構造の内容を示す説明図。図１４は、本発明の一実施形態に係る２層光ディスクの記録可能管理領域のフォーマット情報におけるボーダーゾーンの開始物理セクター番号の詳細な内容を示す説明図。図１５は、本発明の一実施形態に係る２層光ディスクの記録マネジメント情報複製領域と記録マネジメント領域の構成の一例を示す説明図。図１６は、本発明の一実施形態に係る２層光ディスクのマネジメント領域の詳細な内容を示す説明図。図１７は、本発明の一実施形態に係る２層光ディスクの記録マネジメントデータの構成の一例を示す説明図。図１８は、本発明の一実施形態に係る２層光ディスクの記録マネジメント情報のフィールド０の内容の一例を示す説明図。図１９は、本発明の一実施形態に係る２層光ディスクの記録マネジメントデータ内のデータエリア構造の詳細の一例を示す説明図。図２０は、本発明の一実施形態に係る２層光ディスクの更新データエリア構造の内容の一例を示す説明図。図２１は、本発明の一実施形態に係る２層光ディスクのパディング状態情報の内容の一例を示す説明図。図２２は、本発明の一実施形態に係る２層光ディスクの記録マネジメント情報のフィールド３の内容の一例を示す説明図。図２３は、本発明の一実施形態に係る２層光ディスクの記録マネジメント情報のフィールド４，５，６，…２１の内容の一例を示す説明図。図２４は、本発明の一実施形態に係る光ディスク装置（ディスクドライブ装置）が持つコマンドの一例を示す説明図。図２５は、本発明の一実施形態に係る光ディスク装置（ディスクドライブ装置）に与えるファイナライズの中断及び再開の指示信号のビット構成の一例を示す説明図。図２６は、本発明の一実施形態に係る光ディスク装置（ディスクドライブ装置）に与えるディスク状態確認指示信号のビット構成の一例を示す説明図。図２７は、本発明の一実施形態に係る光ディスク装置（ディスクドライブ装置）に与える指示に応じた光ディスク装置からの返答データのビット構成の一例を示す説明図。図２８は、本発明の一実施形態に係るホストからの中断機能確認指示のデータのビット構成の一例を示す説明図。図２９は、本発明の一実施形態に係るホストからの中断状態確認指示のビット構成の一例を示す説明図。図３０は、本発明の一実施形態に係る光ディスク装置（ディスクドライブ装置）によるファイナライズ処理による光ディスクの状態遷移図の一例を示す説明図。図３１は、本発明の一実施形態に係る光ディスク装置（ディスクドライブ装置）による空状態からファイナライズ状態までの光ディスクの各領域の記録状態の一例を示す説明図。図３２は、光ディスク装置（ディスクドライブ装置）によるファイナライズ処理を中断した場合の光ディスクの各領域の記録状態の一例を示す説明図。図３３は、光ディスク装置（ディスクドライブ装置）によるファイナライズ処理を中断した場合の光ディスクの各領域の記録状態の他の一例（区切りの良い所で中断）を示す説明図。図３４は、光ディスク装置（ディスクドライブ装置）によるファイナライズ処理を中断した場合の光ディスクの各領域の記録状態の他の一例（中途半端な位置なので中断を中止する場合）を示す説明図。図３５は、光ディスク装置（ディスクドライブ装置）のファイナライズ処理の基本的な動作の一例を示すフローチャート。図３６は、光ディスク装置（ディスクドライブ装置）のファイナライズ処理の記録量等を判断した後にファイナライズ中断を行なう場合の動作の一例を示すフローチャート。図３７は、光ディスク装置（ディスクドライブ装置）のファイナライズ処理の記録量等を判断した後にファイナライズ中断を行なう場合の動作の他の一例を示すフローチャート。図３８は、光ディスク装置（ディスクドライブ装置）のディスク挿入時におけるファイナライズ再開動作の一例を示すフローチャート。図３９は、光ディスク装置（ディスクドライブ装置）のファイナライズ処理に表示するＧＵＩの一例を示す説明図。図４０は、光ディスク装置（ディスクドライブ装置）のディスク取り出し前にファイナライズ再開を促す画面を表示する場合のフローチャート。図４１は、光ディスク装置（ディスクドライブ装置）のディスク取り出し前にファイナライズ再開を促す画面の一例を説明する説明図。図４２は、光ディスク装置（ディスクドライブ装置）によるファイナライズ処理を中断した場合の光ディスクの各領域の記録状態の一例を示す説明図。図４３は、光ディスク装置（ディスクドライブ装置）によるファイナライズ処理を中断した場合の光ディスクの各領域の記録状態の一例を示す説明図。図４４は、光ディスク装置（ディスクドライブ装置）によるファイナライズ処理を中断した場合の光ディスクの各領域の記録状態の一例を示す説明図。図４５は、光ディスク装置（ディスクドライブ装置）によるファイナライズ処理を中断した場合の光ディスクの各領域の記録状態の一例を示す説明図である。
【００１２】
＜光ディスク記録再生システム＞
図１及び図２に本発明の実施形態の一つである情報記録再生システムのブロック図を示す。
【００１３】
図１に示す情報記録再生システムは、映像やユーザデータ等の情報を記録、再生する媒体である光ディスクＤと、光ディスクＤに情報を記録したり、光ディスクＤから情報を再生する光ディスク装置１２と、光ディスク装置１２に指令を発行し、光ディスク装置１２を介して光ディスクＤから必要な情報を読み出し、映像の再生やユーザへの情報の表示等を行うホスト部１４からなっている。
【００１４】
光ディスクレコーダやプレーヤーといった装置１６は、図１に示すようにその装置１６内に、光ディスク装置１２とホスト部１４を内蔵している。ホスト部１２は図示しないが、ＣＰＵ（Central Processing Unit）や作業領域として用いられるＲＡＭ（Random Access Memory）、設定パラメータやその他電源が落とされても保持しておくべき種々のデータを記憶保持するＥＥＰＲＯＭ（Electrically Erasable and Programmable ROM）やフラッシュメモリなどの不揮発性メモリを備えたものである。これらのメモリにはユーザの要求に対して実行される種々のプログラムや処理に必要なデータやファイル管理に必要なファイルシステム等が記録されている。例えば、ＤＶＤビデオフォーマットのＵＤＦブリッジファイルシステム、ＤＶＤビデオレコーディングフォーマットのＵＤＦファイルシステム、また、次世代ビデオフォーマットのＵＤＦファイルシステム、次世代ビデオレコーディングフォーマットのＵＤＦファイルシステム、アプリケーションソフトなどが搭載されている。
【００１５】
一方、パーソナルコンピュータ等のシステムでは、図２に示すようにパーソナルコンピュータがホスト１４となる。光ディスク装置１２に対する指示の発行は、ＯＳ（オペレーションソフト）やライティングソフト、ビデオ再生ソフトといったアプリケーションソフトを実行することにより行われる。
【００１６】
（光ディスク装置）
図３に本発明の実施形態の一つである光ディスク装置のブロック図を示す。光ディスク装置１２は、光学ヘッド（ピックアップヘッド：ＰＵＨ）アクチュエータ２２から出射されるレーザ光を光ディスクＤの情報記録層に集光することで、情報の記録再生を行っている。光ディスクＤから反射した光は、再び、ＰＵＨアクチュエータ２２の光学系を通過し、フォトディテクター（ＰＤ）２４で電気信号として検出する。検出された電気信号は、プリアンプ２６で増幅され、サーボ回路２８、ＲＦ信号処理回路３０、アドレス信号処理回路３２に出力される。サーボ回路２８では、フォーカス、トラッキング、チルト等のサーボ信号が生成され、各信号がそれぞれ、ＰＵＨアクチュエータ（フォーカス、トラッキング、チルトアクチュエータ）２２に出力される。
【００１７】
ＲＦ信号処理回路３０、アドレス信号処理回路３２における記録されたデータの読み取りや、アドレス信号等のこの際の復調方法としては、スライス方式やＰＲＭＬ（Partial Response Maximum Likelihood）方式がある。光ディスク装置１２は記録再生の対象となる光ディスクＤとＰＵＨアクチュエータ２２によって形成される集光ビームスポットのサイズによって最適な復調方式を選択する。スライス方式には、再生信号に線形な波形等化を行った後に信号を２値化する方法や、再生信号の低域の高振幅成分を一定の値に制限するリミットイコライザと呼ばれる非線形等化器によって等化した後に信号を２値化する方法などがある。
【００１８】
また、ＰＲＭＬ方式に関しても、再生信号の周波数特性に対応して、最適なＰＲクラス例えば、ＰＲ（１，２，２，２１）や、ＰＲ（１，２，１）、ＰＲ（１，２，２，１）、ＰＲ（３，４，４，３）等が選択される。アドレス信号処理回路３２では、検出された信号を処理することにより、光ディスクＤ上の記録位置を示す物理アドレス情報を読み出し、コントローラ３４に出力する。コントローラ３４はこのアドレス情報を元に、所望の位置のユーザデータ等のデータを読み出したり、所望の位置にデータを記録したりする。この際、データは記録信号処理回路３６で光ディスク記録に適した記録波形制御信号に変調される。この信号を元にＬＤ駆動回路（ＬＤＤ）３８は光学ヘッド２２内のレーザダイオード（ＬＤ）を発光させ、光ディスクＤに情報を記録する。
【００１９】
また、本実施形態ではレーザダイオードの波長は４０５±１５ｎｍである。また、光学ヘッド２２内で上記波長の光を光ディスクＤ上に集光させるために用いられる対物レンズのＮＡ値は０．６５である。また、対物レンズに入射する直前の入射光の強度分布として、中心強度を“１”とした時の対物レンズ周辺（開口部境界位置）での相対的な強度を“ＲＩＭIntensity”と呼ぶ。ＨＤ ＤＶＤフォーマットにおけるＲＩＭ  Intensityの値は５５〜７０％になるように設定してある。この時の光学ヘッド２２内での波面収差量は使用波長λに対して最大０．３３λ（０．３３λ以下）になるように光学設計されている。
【００２０】
＜光ディスク＞
次に、本発明に係る情報記録装置が扱う光ディスクＤについて、以下に詳細に説明する。図４に本発明の実施形態の一つである２つの情報記録再生層を有する２層光ディスクＤの模式図を示す。本ディスクは図４に示すように２つの情報記録層（以下レイヤーと称する）を有し、それぞれの情報領域のレイアウトは若干異なっている。また、本発明のディスクには、記録マークを一箇所に一回だけ可能な追記型と記録マークの上書き、消去が可能な書き換え型の２種類がある。
【００２１】
（光ディスクのフォーマット）
図５に本発明の光ディスクＤのエンボス領域と書換え可能な記録領域の物理仕様を示す。
【００２２】
ここでは、基準データ転送速度、光入射側ディスク基板厚さ、トラックピッチ、最短マーク長、回転制御方式、記録符号化方式が、エンボス、書換可能領域について、それぞれ説明されている。
【００２３】
ここで、回転制御方式のＣＬＶとはConstant liner velocityの略で、線方向の速度を一定に保った回転制御方法を意味している。また、ＥＴＭ（Eight to Twelve modulation）とは変調方式の一つで、８ビットの情報ビットごとに、冗長性を持たせた１２ビットのチャネルビットに変換して信号を記録する方式である。この冗長性を持たせたことにより、直接情報ビットを光ディスクＤに記録する場合に比べ情報の記録再生の信頼度が飛躍的に向上している。
【００２４】
（情報エリアのレイアウト）
図６にディスクの各レイヤーのレイアウトを示す。ここで、レイヤー０及びレイヤー１はほぼ同じ構成で領域が分割されている。ただし、ＢＣＡ領域に関しては、レイヤー０もしくはレイヤー１のいずれかの領域のみに配置される。これは、ＢＣＡ領域からの情報の読み出しを安定化するためである。ＢＣＡ領域の信号の記録に用いられるＢＣＡマークは層間のクロストークが大きいため、ＢＣＡ領域を２つのレイヤーに用いると、相互の信号の干渉が発生し、情報の読みだしが困難になる。
【００２５】
レイヤーの領域の構成は内周側からバーストカッティング（ＢＣＡ：Burst cutting area）領域、エンボス管理領域（System Lead−in or System Lead−out area）、内周記録可能管理領域（Data Lead−in or Data Lead−out are）、データ領域（Data area）、外周記録可能管理領域（Middle area）に区分されている。
【００２６】
ＢＣＡ領域には、基板の溝や、反射膜の剥離、記録媒体の変化によってＢＣＡマークがあらかじめ記録されている。ＢＣＡマークは光ディスクＤの円周方向に変調されており、半径方向には同一の情報が並ぶ櫛型のマークである。ＢＣＡコードは、ＲＺ変調方法により変調されて記録される。パルス幅が狭い（＝反射率の低い）パルスは、この変調されたＢＣＡコードのチャネルクロック幅の半分よりも狭い必要が有る。また、ＢＣＡマークは半径方向に同一の形状を持っているため、トラッキングをかける必要がなく、フォーカスをかけただけで情報の再生が可能となる。
【００２７】
エンボス管理領域にはエンボスピットで情報が記録されている。この情報は、ディスクの識別情報やデータ領域の容量といった、光ディスクＤの管理情報である。また、この領域のエンボスピットの最短マーク長はデータ領域の倍の値になっている。この結果、通常のデータ領域はＰＲＭＬ方式を用いて再生されるが、エンボス管理領域においては、スライス方式を用いても情報の復調が可能となるほか、情報の読み取りの信頼性が高くなるという特徴がある。エンボス管理領域には、ディスクの情報読み出しの基本となる管理情報や、コピー権マネジメントの情報等が記録されるため、エンボス管理領域の読み取り信頼性を高めることは重要である。
【００２８】
次に記録可能管理領域には、データ領域と同じように、案内溝であるグルーブが形成されている。この領域には、データ領域と同じ密度で信号の記録の記録を行う。この領域には、試し書き領域や、データ領域の記録状態を把握するためのマネジメント領域、ＤＰＤトラッキング用のトラッキングオーバーラン領域、層間のクロストーク量を一定に保つためのガード領域等が配置される。
【００２９】
データ領域には、映像データやユーザデータといったデータ等が記録される。
【００３０】
（層間クロストーク）
次に本発明の光ディスクＤの層間クロストークについて説明を行う。本発明に係る２層ディスクでは、図７に示すように、再生中のレイヤー（レイヤー１を再生）でないレイヤー（レイヤー０）の信号の記録状態が変化すると、そのクロストークによって再生中のレイヤー１の信号がオフセットするという問題が発生する。また、レイヤー１に信号を記録する場合、レイヤー０が記録済みであるか、未記録であるかによって最適な記録パワーが異なるという問題がある。これらの問題は、レイヤー０の記録媒体の透過率及び反射率が記録状態と未記録状態で変化することや、光学的な収差を抑えるために中間層の厚みを広くできないことなどが原因で発生するが、このような特性を物理的に低減することは非常に難しい。
【００３１】
そこで、本発明に係る光ディスクＤでは、図８に示すようなクリアランス（記録禁止領域）を設け、このような信号のオフセットがあっても、問題なく情報の記録再生が可能であるという特徴を持っている。
【００３２】
図８はレイヤー０が記録済みの状態の場合の、レイヤー１の記録可能な範囲を示している。
【００３３】
このとき、レイヤー１の記録可能範囲は、レイヤー０の記録済み範囲から両側のクリアランスを引いた範囲となる。このクリアランスの幅は、式（１）によって求めることができる。
【００３４】
クリアランス＝Δｒ＋ｅ＋Δｓ            （１）
ここで、Δｒは製造誤差等によって発生するレイヤー０とレイヤー１の同一設計半径に対する実際の半径位置の相対的なずれであり、ｅは偏心量である。また、Δｓは再生中でない層に形成されるビームスポットの半径である。
【００３５】
（詳細レイアウト）
図９に本発明の実施形態の一つである２層光ディスクＤの記録可能領域の詳細なレイアウトの一例を示す。レイヤー０の内周側記録可能管理領域には、内側から、第１ブランク領域Ｚ１、ガードトラック領域Ｚ２、ドライブテスト領域Ｚ３、ディスクテスト領域Ｚ４、第２ブランク領域Ｚ５、記録マネジメント情報複製領域Ｚ６、記録マネジメント領域Ｚ７、Ｒ物理フォーマット情報領域Ｚ８、リファレンスコード領域Ｚ９が設定されている。
【００３６】
レイヤー１の内周側記録可能管理領域には、内側から第５ブランク領域Ｚ２３、ディスクテスト領域Ｚ２２、ドライブテスト領域Ｚ２１、ガードトラック領域Ｚ２０が配置されている。
【００３７】
ブランク領域は境界を分離することや、クリアランスを確保する目的で配置されたデータをまったく記録しない領域である。ガード領域は、ＤＰＤトラッキングのオーバーラン対策や層間クロストーク対策の為に、ダミーデータが記録される領域である。テスト領域は、光ディスクＤに管理情報やユーザ情報を記録する前に、記録波形を最適化するための試し書きをする領域である。マネジメント領域及びマネジメント情報複製領域は、データ領域に記録中のデータの状態を管理するためのマネジメント情報が記録される領域である。
【００３８】
レイヤー０のテスト領域Ｚ１２，Ｚ１３はエンボス管理領域のクロストークを避けるため、エンボス管理領域からクリアランス（第１ブランク領域Ｚ１）の分だけ離れた位置に配置されている。そして、レイヤー０のテスト領域Ｚ３，Ｚ４とマネジメント領域Ｚ６，Ｚ７は狭いブランク領域Ｚ５をはさんで近接して配置されており、これらの領域はレイヤー１のガード領域Ｚ２０と重なるように設けられている。そして、レイヤー１のガード領域Ｚ２０は、レイヤー０のテスト領域Ｚ３，Ｚ４の幅とマネジメント領域Ｚ６、Ｚ７の幅の合計に対して、両側のクリアランスの分だけ広い幅となっている。一方、レイヤー１のテスト領域Ｚ２１，Ｚ２２は、レイヤー０のガード領域Ｚ２と重なるように設けられており、両側のクリアランスの分だけレイヤー０のガード領域Ｚ２より幅が狭くなっている。
【００３９】
ここで、光ディスク装置１２はガード領域Ｚ２に対しては、ユーザデータの記録とは関係なく、均一にダミーデータの記録をしたり、未記録のまま保持したりしておく。このように本発明に係る光ディスク装置では、テスト領域Ｚ２１，Ｚ２２とマネジメント領域Ｚ６，Ｚ７と重なる反対の層の状態が常に、記録状態か、未記録状態の一定の状態とすることで、安定した試し書きや、マネジメント情報の記録が可能になるという特徴がある。
【００４０】
次にデータ領域Ｚ１０，Ｚ１９の構造について説明を行う。データ領域Ｚ１０，Ｚ１９にはユーザのデータが保存されるが、データの記録状態はＲゾーンＲ単位で管理される。また、ファイナライズの際にユーザデータがデータ領域Ｚ１０，Ｚ１９の最後まで達していなかった場合には、その領域にはターミネータＴが形成される。ターミネータＴとは、ファイナライズ処理によりダミーデータが記録されるデータ領域または記録されたデータ領域である。
【００４１】
次に、レイヤー０の外周側記録可能管理領域には内側からガード領域Ｚ１１、ドライブテスト領域Ｚ１２、ディスクテスト領域Ｚ１３、ブランク領域Ｚ１４が配置される。同様に、レイヤー１の外周側記録可能管理領域には内側からガード領域Ｚ１８、ドライブテスト領域Ｚ１７、ディスクテスト領域Ｚ１６、ブランク領域Ｚ１５が配置される。
【００４２】
ここでも内周側と同様に、テスト領域Ｚ２１，Ｚ２２と重なる反対側のレイヤーにはガード領域Ｚ２が配置されており、ガード領域Ｚ２の幅はテスト領域の幅の両側にクリアランスの幅を設けた幅よりも広くなっている。
【００４３】
（記録データの構造）
本発明に係る光ディスクＤに保存、記録されている情報はセクターと呼ばれる単位で扱われる。セクターはユーザデータとヘッダ情報で構成されており、３２個もしくは１６個のセクターで１ＥＣＣ（エラーコレクションコード）ブロックが構成されている。ユーザデータの記録は通常この１ＥＣＣブロック単位で行われている。
【００４４】
（エンボス管理領域フォーマット情報の内容）
図１０にレイヤー０に設けられたエンボス領域のフォーマット情報の内容を示す。ブックタイプはディスクのフォーマット及び再生専用、追記型、書き換え型等を示す識別子である。パートバージョンは、そのフォーマットのバージョン管理情報である。ディスクサイズにはそのディスクの直径を示す情報が記録される。例えば、１２ｃｍのディスクであれば００００ｂ、８ｃｍのディスクであれば０００１ｂが記録される。最大転送レートには必要であれば、ディスクに記録されたデータを正常に再生するのに必要となる最大の転送レートが記録される。
【００４５】
ディスク構造には、そのフォーマットのレイヤーの数、各レイヤーでトラックが内周側から外周側に向かっているか、内周側に向かっているかの極性を示す情報、そのレイヤーが再生専用であるか、追記型か、書き換え型であるかといった情報が記録される。ここでのレイヤーの数は、ディスクの持つレイヤー数ではなく、フォーマットのレイヤー数である。記録密度には、ディスク接線方向の密度とトラックピッチを表す情報が記録される。データエリア構造にはデフォルトのデータ領域の開始アドレスと終了アドレスが記録される。ＢＣＡ識別子には、ＢＣＡがあるか無いかを示す情報を記録する。記録可能速度識別情報には、そのディスクに対して記録が可能な記録速度を表す情報が記録される。また、拡張パートバージョンにはパートバージョンの拡張情報を記録する。最大再生スピードには、ディスクに記録されたデータを正常に再生するのに必要となる最大の線速度が記録される。レイヤー情報にはレイヤー０及びレイヤー１に配置されたディスクの種類が記録される。
【００４６】
マーク極性情報には記録マークの反射率が未記録部に対して、高いか低いかを示す情報が記録されている。ここが００００００００ｂであれば、記録マークの反射率は未記録部より高く、ここが１０００００００ｂであれば、記録マークの反射率が未記録部よりも低いことを示す。標準速度情報には、標準の記録速度が記録される。たとえば本実施形態の光ディスクＤでは６.６ｍ／ｓとなる。
【００４７】
次に、リム強度情報には、後述の記録波形情報を決定した際のＰＵＨのリム強度の値を記録する。再生パワー情報には、データ領域を再生する場合に必要な再生パワーの値を指定する。実効記録スピード情報には、そのディスクが対応可能な記録スピードの実際の値がすべて記録されている。データ領域反射率（Ｌ）にはレイヤー０のデータ領域にデータを記録した後の反射率が示されている。
【００４８】
ここで、マーク極性情報が００００００００ｂであれば、マーク部の反射率、１０００００００ｂであれば、非マーク（スペース）部の反射率が記録される。次に、プッシュプル信号振幅情報（Ｌ）にはレイヤー０のプッシュプル信号を和信号で正規化した値と、記録再生を行うトラックを示すトラック情報が記録される。トラック情報が０ｂである場合、信号の記録再生はグルーブで実施することになり、１ｂである場合には、ランドで実施することになる。また、オントラック信号情報（Ｌ）は、レイヤー０のデータ領域の未記録部の和信号レベルをエンボス管理領域の最大反射レベルで規格化した値が記録される。データ領域反射率情報（Ｌ１）からオントラック信号情報（Ｌ１）までのバイトには、レイヤー１の情報がそれぞれ記録される。
【００４９】
次に、記録波形情報（Ｌ）及び（Ｌ１）にはそれぞれ、ディスク製造メーカが推奨するレイヤー０及びレイヤー１の最適な記録波形情報が記録される。これは、記録波形のピークパワーの値やボトムパワーの値、先頭、中間、最終パルスの開始終了位置などの値である。
【００５０】
図１１にデータエリア構造の詳細な内容を示す。データエリア構造には、データ領域の開始物理セクターの番号（ＰＳＮ）、第１記録可能領域最大物理セクター番号、レイヤー０の記録可能領域の最終物理セクター番号が記録される。ここで、データ領域の開始物理セクターの番号は、レイヤー０のデータ領域の開始物理セクター番号を示している。また、第１記録可能領域最大物理セクター番号はレイヤー１のデータ領域の終了物理セクター番号を示している。また、レイヤー０の記録可能領域の最終物理セクター番号はレイヤー０のデータ領域の最終物理セクター番号を示している。
【００５１】
（記録可能管理領域フォーマット情報の内容）
図１２に記録可能管理領域のフォーマット情報を示す。この情報は、光ディスク装置がディスクに情報を記録する過程で、記録可能管理領域に記録する情報である。ここで、データエリア構造情報及びボーダーゾーンの開始物理セクター番号を除く情報は、エンボス領域のフォーマット情報と同様の値が記録される。
【００５２】
図１３に記録可能管理領域のフォーマット情報におけるデータエリア構造の内容を示す。本データエリア構造にはデータ領域の開始物理セクターの番号（ＰＳＮ）、第１ボーダー終了物理セクター番号（ＰＳＮ）、レイヤー０の記録データ最終物理セクター番号（ＰＳＮ）が記録される。ここで、データ領域の開始物理セクターの番号は、レイヤー０のデータ領域の開始物理セクター番号を示している。また、第１ボーダー終了物理セクター番号は第１ボーダー（後述）のユーザデータ領域の最終物理セクター番号を示している。また、レイヤー０の記録データ最終物理セクター番号には、第１ボーダーがレイヤー０からレイヤー１にまたがる場合には、レイヤー０のユーザデータ領域の最終物理セクター番号が記録され、第１ボーダーがレイヤー０で終了する場合にはすべて０で埋められる。
【００５３】
図１４に記録可能管理領域のフォーマット情報におけるボーダーゾーンの開始物理セクター番号の詳細を示す。ここには、第１ボーダーのボーダーアウトの開始物理セクター番号（ＰＳＮ）と次のボーダーのボーダーインの開始物理セクター番号（ＰＳＮ）が記録される。また、次のボーダーが作成禁止である場合には、ボーダーインの開始物理セクター番号はすべて０で埋められる。したがって、ここが０で埋められていた場合には、そのディスクがファイナライズされていると判別することができる。
【００５４】
（マネジメント領域）
図１５に記録マネジメント情報複製領域と記録マネジメント領域の構成を示す。記録マネジメント情報複製領域の最初のブロックにはリードイン記録マネジメントデータが記録される。次に、マネジメント領域の次の７ブロックには記録マネジメント情報が記録される。記録マネジメント領域には記録マネジメント情報が順次記録される。ここで、リードイン記録マネジメントデータは光ディスク装置１２がマネジメント領域に最初にデータを記録する際に記録する情報である。この中には図１６に示すように、記録を行う光ディスク装置１２の製造会社の識別番号である記録再生装置製造会社識別番号や、その装置のシリアル番号、モデル番号、ファームウエアバージョン番号が記録される。ディスク固有番号にはディスク識別用にディスク毎に固有な番号を光ディスク装置１２が記録する。
【００５５】
記録マネジメントデータ複製領域には、マネジメント領域が拡張された場合やファイナライズされた場合、ディスクが光ディスク装置１２から取り出された場合などに、記録マネジメント領域に記録する記録マネジメント情報の複製を記録しておく。また、記録マネジメント領域にはデータ領域の記録状態を表す記録マネジメント情報（ＲＭＤ）を１ブロック毎、もしくは数ブロックを１セットにしてデータの内容が変化する毎に逐次記録していく。ここで、追記型ディスクでは情報の上書きができないため、記録マネジメント情報の重要な内容が更新されるたびに、次の未使用ブロックに次々に情報が追記されていく。したがって、もっとも後ろにある情報が最新の記録マネジメント情報ということになる。
【００５６】
図１７に記録マネジメントデータの構成を示す。記録マネジメントデータは３２フィールドで構成されており、第１フィールドは予備フィールドとなっている。次のフィールドからは順に番号が振られており、それぞれ異なる情報が記録されている。
【００５７】
図１８に記録マネジメント情報のフィールド０の内容を示す。  
ＲＭＤ記録形式識別子には、ＲＭＤのデータの記録形式を示す情報が記録される。ディスク状態情報には例えば下記のような定義でディスクの状態をしめす。例えばディスクが追記型のディスクである場合、ディスクがブランク状態であれば“００ｈ”を、ボーダーがひとつでファイナライズされた状態であれば“０１ｈ”を、ユーザデータが記録されてファイナライズされていない状態であれば“０２ｈ”、ファイナライズされた状態であれば“０３ｈ”、フォーマットやファイナライズの途中状態であれば“１１ｈ”を記録する。このほか、ディスクが追記型ディスクである場合には、ディスク状態情報が“００ｈ”であればディスクはブランク状態、“１２ｈ”もしくは“２２ｈ”であればボーダーがひとつでファイナライズされた状態、“１３ｈ”もしくは“２３ｈ”であればユーザデータが記録されてファイナライズされていない状態、“１１ｈ”もしくは“２１ｈ”であればフォーマットの途中状態であることを示す。
【００５８】
ここで“ｈ”は数字が１６進数で表されていることを示す。
【００５９】
図１９に記録マネジメントデータ内のデータエリア構造の詳細を示す。このバイトには、エンボス管理領域のフォーマット情報のデータエリア構造と同じ値が記録される。
【００６０】
図２０に更新データエリア構造の内容を示す。ここには、フォーマッティングもしくは、ファイナライズ時に変更された後のデータエリア構造の値が記録される。更新識別子は、データエリア構造がどのような状態で変更されたかを示す情報である。データエリア構造の更新の指示に対応して変更された場合には、０１ｈが記録され、ファイナライズ時に変更された場合には０２ｈが記録される。
【００６１】
図２１にパディング状態情報の内容を示す。パディング情報は光ディスクＤの各領域が記録済み、すなわちパディング済みであるか否かを示す情報である。情報の各ビットがそれぞれの領域に割り当てられており、“１ｂ”であればパディング済み、“０ｂ”であればパディングされていないことを示す。また、１５、１６ビットに関しては、“００ｂ”であれば未記録、“０１ｂ”であれば記録途中、“１０ｂ”であればパディング済みであることを示す。ここで、“ｂ”は数字が２進数で表されていることを示す。また、ターミネータの最終記録ＰＳＮにはターミネータの記録された部分の最後のＰＳＮを保存する。ここで、パディング状態情報１５，１６ビットが００ｂであれば、ターミネータの最終記録ＰＳＮは００００００００ｂが保存される。
【００６２】
次に、テスト領域配置情報の内容を説明する。テスト領域は、拡張やシフトで位置が変化する場合があるので、このバイトにその時点での最新のテスト領域（内周テスト領域、外周テスト領域、拡張テスト領域）の開始物理セクターの番号と終了物理セクターの番号もしくは、領域のサイズを記録しておく。
【００６３】
フィールド１には光ディスクＤに記録を行った光ディスク装置１２の情報と使用したテスト領域の情報、ドライブが固有のフォーマットで記録が可能な記録波形情報を記録する。これらの情報は２５６バイトごとに一まとめにされており、それぞれ＃１、＃２と名前がつけられている。図示しないが、＃４まで存在し、残りのバイトは予備となっている。テスト領域使用アドレス情報は内周テスト領域用、外周テスト領域用、拡張テスト領域用とぞれぞれの領域に対して独立に用意されており、さらに、それぞれ各レイヤー毎に用意されている。ここには、自分が使用したテスト領域の最後のアドレス、もしくは使用しなかった場合には、すでに保存されていたアドレス情報を記録する。また、拡張テスト領域が拡張されていない状態では、拡張領域使用アドレスにはすべて０が記録される。
【００６４】
図２２にフィールド３の内容を示す。フィールド３には各ボーダーアウトの最終物理セクター番号（ＰＳＮ）と、記録マネジメント領域が拡張された場合には、記録マネジメント領域が拡張されたかどうか示す情報かもしくは拡張された記録マネジメント領域の開始物理セクター番号（ＰＳＮ）とその大きさ及び、使用中の拡張記録マネジメント領域の番号を記録する。さらに、学習領域が拡張された場合には、拡張された学習領域の開始物理セクター番号（ＰＳＮ）と総物理セクター数、もしくは終了物理セクター番号（ＰＳＮ）を記録する。
【００６５】
図２３にフィールド４，５，６，…２１の内容を示す。フィールド４，５，６，…２１にはデータ領域に記録するユーザデータ領域の状態を管理する情報を記録する。ユーザデータ領域は、ＲゾーンＲ毎に分割されて管理されており、フィールド４，５，６，…２１にはこのＲゾーンＲの開始物理セクター番号（ＰＳＮ）とＲゾーンＲの中で現在記録されている領域の最終物理セクター番号（ＰＳＮ）が記録される。また、記録がＲゾーンＲ内の途中で止まっている状態であるオープンＲゾーンを３つまで作ることが許されており、この途中状態のＲゾーンの番号を記録するバイトも設けられている。
【００６６】
＜光ディスク装置／ホストの持っている機能＞
次に本発明の実施形態の一つである光ディスク装置１２とホスト１４の持っている機能の説明を行う。図２４は、光ディスク装置（ディスクドライブ装置）が持つコマンドの一例（対応可能な指示のリスト）を説明する図である。
【００６７】
光ディスク装置１２は、図２４のリストに示される指示をホスト１４から受け取った場合、あらかじめ定められた形式にしたがって、ホスト１４に返答を返す機能を有している。一般に、この処理は光ディスク装置１２のファームウエアとして実装されている。一方、ホスト１４も、あらかじめ定められたフォーマットにしたがって、光ディスク装置１２に指示を発行し、光ディスク装置１２を操作する機能を有している。特に、本発明に係る光ディスク装置及びホスト１４はクローズ指示の一機能として、ディスクのファイナライズ指示、ファイナライズ中断および再開の指示を送受信する機能、ディスク管理情報問い合わせ指示の一機能として、ディスクがファイナライズ中断であることを示す情報を送受信する機能、ディスクのパディング状態を送受信する機能、ドライブが中断可能な状態のリストを送受信する機能、処理結果問い合わせ指示の一機能として、中断完了までの処理時間もしくは処理量を送受信する機能等を有している。
【００６８】
（中断／再開指示）
図２５に本発明の実施形態の一つである光ディスク装置１２にファイナライズの中断及び再開の指示を行う際のデータのビット構成を示す。光ディスク装置１２はこの指示を受け取ることにより、光ディスクＤのファイナライズの開始、中断、またファイナライズが中断されたディスクを再びファイナライズする機能をもつ。
【００６９】
データは１２バイトで構成されており、バイト位置０が指示の内容を表す動作コードを示している。ここで動作コードはクローズを表すものとなっている。
【００７０】
またバイト位置１の最初のバイトにはその指示に対して即時に返答をすべきか否かを示すイミディエイトビットが割り当てられている。ここで、イミディエイトビットが１ｂの状態でこの指示を受けた場合、光ディスク装置１２は指示を受けた処理が終了していなくても、指示のあとすぐに指示に対する返答を実施する。０ｂの状態であれば処理が完全に終了してから返答を実施する。
【００７１】
バイト位置２の３バイトにはクローズ動作の詳細を示す識別子が割り当てられる。ここで、識別子が“００１ｂ”の場合、図２５の（ｂ)が示すように、光ディスク装置１２はＲゾーンＲをクローズする。“０１０ｂ”の場合、光ディスク装置１２はボーダーをクローズする。“１１０ｂ”の場合、光ディスク装置１２はディスクをファイナライズする。“１１１ｂ”の場合、光ディスク装置１２はディスクのファイナライズを中断する。
【００７２】
もし、光ディスク装置１２がファイナライズ動作をしていない状態で、識別子が“１１１ｂ”の指示、すなわちファイナライズ中断の指示を受信した場合は、光ディスク装置１２はエラーを返答する。
【００７３】
ここで本発明の実施形態では、ファイナライズの指示と中断及び再開を同じカテゴリの指示にまとめることで、光ディスク装置１２とホスト１４の指示のやり取りを簡便にしている。しかしながら、動作コード自体を別にしても指示、報告のやり取りは可能である。
【００７４】
（ディスク状態確認指示）
図２６にディスク状態確認指示のデータのビット構成を示す。図２６の（ａ）はホスト１４から光ディスク装置に指示する際の送信データのビット構成を示している。始めの一バイト目にディスクの状態を確認する指示であることを表す動作コードが割り当てられている。
【００７５】
図２６の（ｂ）は指示に対する光ディスク装置の返答データのビット構成を示している。返答は始めの２バイトがヘッダとなっており、返答全体のバイト長が記述されている。次に３バイト目のバイト位置２には指示のデータタイプ、イレイザブル、最終ボーダー状態、ディスク状態識別子が記述されている。イレイザブルが１ｂである場合はディスクが消去可能なディスクであることをあらわし、０ｂであれば消去できないディスクであることを示す。バイト位置３からは順にディスクの第１Ｒゾーンの番号、ボーダーの数、最終ボーダーの第１Ｒゾーンの番号、最終ボーダーの最終Ｒゾーン番号が記述される。また、バイト位置７及び８にはディスクのパディング状態情報が記述される。バイト位置９から１１にはターミネータの最終記録ＰＳＮが記述される。パディング状態情報のビット構成は図２１に示す記録マネジメント情報のパディング状態情報と同じ構成である。
【００７６】
図２６の（ｃ）にディスクの状態と最終ボーダー状態、ディスク状態識別子のビット構成の関係を示す。
【００７７】
光ディスク装置１２は、ホスト１４から図２６の（ａ）の問い合わせがあった場合には、装填中のディスクの状態を確認し、図２６の（ｂ）の形式に従って返答をする。
【００７８】
ここで、ディスクにユーザデータが記録されていないエンプティ状態の場合には最終ボーダー状態、ディスク状態識別子とも００ｂとする。ユーザデータの記録中であり追記可能な場合意は量領域とも０１ｂとする。また、ファイナライズが完了したディスクである場合には最終ボーダー状態を１１ｂ、ディスク状態識別子を１０ｂとする。さらに、ディスクがファイナライズ中断状態である場合には、最終ボーダー状態とディスク状態識別子を１１ｂ，１１ｂもしくは１０ｂ，１０ｂとする。この返答によってホスト１４は、ディスクがファイナライズの中断状態であるか否か、ファイナライズ完了までにどの程度の量もしくは時間の記録が必要であるかを知ることができる。
【００７９】
（中断可能機能の確認方法）
図２７及び図２８にドライブの中断機能確認指示のデータのビット構成を示す。光ディスク装置１２はこの指示をうけとった場合、光ディスクＤの状態を確認し、ファイナライズの中断が可能な装置であれば、中断が可能な領域もしくは、現在の光ディスク記録位置から中断が可能な位置までの記録量、記録時間等を返答する機能を持つ。
【００８０】
図２７の（ａ）はホスト１４から光ディスク装置に指示する際の送信データのビット構成を示している。始めの一バイト目にディスクの状態を確認する指示であることを表す動作コードが割り当てられている。
【００８１】
図２７の（ｂ）は指示に対する光ディスク装置の返答データのビット構成を示している。返答は始めの４バイトがヘッダとなっており、返答全体のバイト長が記述されている。バイト位置４及び５にはディスクのパディング状態情報が記述される。バイト位置６から９にはターミネータの最終記録ＰＳＮが記述される。パディング状態情報のビット構成は図２１に示す記録マネジメント情報のパディング状態情報と同じ構成である。また、バイト位置８及び９には中断可能領域識別子が記述される。これは、各ビットがパディング状態情報と同じ構成で光ディスクＤの各領域を示しており、中断が可能な領域に関しては１ｂ中断不可能な領域に関しては０ｂが記述される。また、ビット位置６及び５に関しては、中断が不可能な場合は００ｂ、ターミネータの記録完了時点で終了可能な場合は１１ｂ、ターミネータの記録途中で中断可能な場合は０１ｂが記述される。
【００８２】
図２８は図２７の（ａ）の指示に対する光ディスク装置のもう一つの返答データのビット構成を示している。返答は始めの４バイトがヘッダとなっており、返答全体のバイト長が記述されている。バイト位置４からは２バイトずつ、中断可能箇所までのＥＣＣブロックサイズがリストとなって記述されている。
【００８３】
ここで、図面上は、ＥＣＣブロックサイズを単位としたが、物理セクター数、時間、もしくは割合を記述しても良い。光ディスク装置１２はこの指示を受信した場合、中断機能を有すものである場合、光ディスクＤの状態と記録順序を確認し、自分が中断可能な位置までのＥＣＣブロック数をカウントして結果を報告する。また、リストの最後はファイナライズ完了までのＥＣＣブロック数を記述する。また、実際には中断機能のないドライブであってもリストにファイナライズ完了までのＥＣＣブロック数を記述する。
【００８４】
こうすることで、実際に中断機能のない光ディスク装置１２であっても、中断機能のある装置と同様の応答をすることが可能になり、ホスト１４から見た光ディスク装置１２の互換性が高くなる。ホスト１４はこの指示により、ファイナライズ時に光ディスクＤを記録しなければならない記録量、もしくは時間と中断を実行した際に、中断完了までにしなければならない記録量もしくは記録のための時間を見積もることが可能となる。
【００８５】
またこの指示はファイナライズ前及びファイナライズ中の両方のタイミングで発行されることが考えられる。ファイナライズ中であれば、図２７の（ｂ）の構成のパディング可能識別子の代わりに、現在パディング中識別子を配置しても良い。この場合識別子の部分には現在記録中の領域だけが１ｂとなりその他の領域は０ｂとなる。さらに、識別子の変わりに記録中の領域を表すコードを保存するようにしても良い。
【００８６】
（中断状態確認指示）
図２９に光ディスク装置１２がファイナライズの中断動作を実施している際に、中断までの時間もしくはダミーデータ等の記録容量を確認するための、中断状態確認に用いる指示のデータのビット構成を示す。
【００８７】
図２９の（ａ）はホスト１４から光ディスク装置１２に指示する際の送信データのビット構成を示している。始めの一バイト目にディスクの状態を確認する指示であることを表す動作コードが割り当てられている。図２９の（ｂ）は指示に対する光ディスク装置１２の返答データのビット構成を示している。
【００８８】
返答は始めの１バイトにはエラーコードが割り当てられており、返答がエラーであるか繰り延べエラーであるかを記述する。また、バイト位置２の４ビットにはエラーの識別子が記述され、バイト位置１２の追加エラー識別子にはさらに細かい識別子が記述される。これらの領域には中断実行中には中断用ダミーデータの記録中であることを示す識別子が記述される。また、バイト位置１５から１７にはエラー識別子に依存した情報が表される。中断実行中には中断の指示を受け取った時点から中断完了までのダミーデータの記録量を１００%としたときの、現在の記録位置から中断の完了までの記録量のパーセンテージを記述する。
【００８９】
＜ファイナライズ処理＞
次に、本発明に係る情報記録装置及び情報記録方法の一実施形態であるファイナライズ処理の一例について、図面を用いて以下に詳細に説明する。
【００９０】
（光ディスクの状態遷移）
図３０にファイナライズ処理による光ディスクＤの状態遷移図を示す。  
光ディスクＤは、図３０に示すように、未記録もしくは、ユーザデータが記録されていない場合、空状態Ｃ１にある。ここで、ホスト１４からのフォーマットやユーザデータの書き込み指示があった場合、光ディスク装置１２は光ディスクＤのフォーマットや、ユーザデータの記録を実行する。この結果、光ディスクＤはデータ記録途中状態Ｃ２となる。
【００９１】
ユーザデータの記録が完了し、ホスト１４からファイナライズの指示があった場合、光ディスク装置１２はファイナライズの動作に入る。このとき、ディスクの状態はファイナライズ中状態Ｃ３となる。そのまま、ファイナライズが問題なく終了すればディスクはファイナライズ済み状態Ｃ４となる。
【００９２】
一方、ファイナライズ中にファイナライズ中断の指示が来て、かつ光ディスク装置１２がファイナライズの中断が可能な状態であった場合には、ファイナライズ中断の処理が実行され、ディスクはファイナライズ中断状態Ｃ５となる。ファイナライズ再開の指示があった場合には、光ディスク装置１２はファイナライズを再開し、ディスクの状態はファイナライズ中Ｃ３となる。
【００９３】
ここで、本発明に係る記録方法では、ファイナライズ中断状態Ｃ３でのディスクの記録状態が限定されており、また、記録状態を表す情報がディスクに保存されているため、図３０の５つの状態のうち、ファイナライズ中を除く４つの状態において、ディスクを光ディスク装置１２から取り出しても、情報の互換性を保つことができる。すなわち、ファイナライズを中断する光ディスク装置１２と再開する装置が異なっていても、光ディスクＤのファイナライズを完了することができる。
【００９４】
（ファイナライズの具体的手順）
図３１に空状態からファイナライズ状態までの光ディスクＤの各領域の記録状態を示す。図３１の（ａ）は光ディスクＤが未記録の状態を示している。
【００９５】
光ディスク装置１２は光ディスクＤにユーザデータを記録する際には、記録の前に第１ドライブテスト領域Ｚ３及び第２ドライブテスト領域Ｚ１２の一部を記録して記録条件の最適化を行い、これに続いてユーザデータの記録を行う。
【００９６】
また、ユーザデータを一定量記録したり、ＲゾーンＲがクローズされる等のイベントが発生した場合には、記録マネジメントデータ複製領域Ｚ６や記録マネジメント領域Ｚ７の一部に記録マネジメントデータを記録する。
【００９７】
ユーザデータの記録がレイヤー１に移る際には、レイヤー１へのユーザデータ記録前に、第３ドライブテスト領域Ｚ１７及び第４ドライブテスト領域Ｚ２１の一部を記録して記録条件の最適化を行う。また、それらのドライブテスト領域Ｚ１７，Ｚ２１を使用するために、予め第１及び第２ガード領域Ｚ２，Ｚ１１をパディングしておく必要がある。
【００９８】
従って、多くの場合データの記録中には図３１の（ｂ）に示すように、第１及び第２ガード領域Ｚ２，Ｚ１１がパディングされている状態になっている。ディスクＤをファイナライズ状態にするためには、第１、第２、第３、第４ガード領域Ｚ２，Ｚ１１，Ｚ１８，Ｚ２０、第１ドライブテスト領域Ｚ３、記録マネジメント領域Ｚ７、リファレンスコード領域Ｚ９、Ｒ物理フォーマット情報領域Ｚ８、データ領域（レイヤー０及び１）Ｚ１０，Ｚ１９がパディングされている必要がある。また、記録マネジメントデータ複製領域Ｚ６及び第２ドライブテスト領域Ｚ１２を埋める必要がある場合も有る。
【００９９】
ここで、図３１の（ｂ）の状態でファイナライズを開始する場合、光ディスク装置１２が第３ガード領域Ｚ１８をパディングし、またユーザ領域Ｚ１９の未記録エリアをターミネータＴで埋める。さらに、図３１の（ｃ）に示すように、記録すべき領域ｍとして、第１ドライブテスト領域Ｚ３、記録マネジメントデータ複製領域Ｚ６、記録マネジメント領域Ｚ７、Ｒ物理フォーマット情報領域Ｚ８、リファレンスコード領域Ｚ９を記録した後、第４ガード領域Ｚ２０を記録してフォーマット完了とする。
【０１００】
（中断の方法）
次に、ファイナライズの中断方法と中断時のディスクの状態について説明を行う。本発明の実施形態の一つである光ディスク装置１２の中断処理方法には３つの種類がある。
【０１０１】
第１の方法は中断の指示があった場合、記録中の領域の途中で速やかに記録を中断する方法である。ただし、その場合でも記録の中断はＥＣＣブロック単位で行われる。この方法で中断を実行した場合には光ディスク装置１２は中断を実行した物理セクター番号ＰＳＮを光ディスクＤの記録マネジメント情報に記述しておく。これらの方法は主に、ターミネータＴやドライブテスト領域Ｚ１２，Ｚ１７に適応される。
【０１０２】
第２の方法は中断の指示があった場合、記録中の領域を完全に記録、すなわちパディング完了してからファイナライズを中断する方法である。領域の途中で記録の中断を行った場合、装置間での互換性の低下が予想される場合には、記録中の領域が完了した時点で記録を終了する。このとき記録マネジメント情報のパディング状態情報に記録が完了した領域のみ１ｂを記述する。こうすることで、記録された光ディスクＤの互換性を高めることができる。この方法は主に、ガード領域Ｚ２，Ｚ１１，Ｚ１８，Ｚ２０等に適応される。
【０１０３】
第３の方法は中断の指示があった場合、いくつかの領域のパディングが完了してから中断を行うか、もしくは最後までファイナライズを行う方法である。これは例えば、追記型ディスクＤでレイヤー０のドライブテスト領域Ｚ３のパディングが完了していた場合や、残りが一定のＥＣＣブロック数以下の場合には、レイヤー０の各領域をすべてパディングした時点でファイナライズを中断するといった場合や、ディスク状態情報をファイナライズにして記録マネジメント領域のパディングを完了した場合にはのこりの領域をすべてパディングするといった場合に用いられる。
【０１０４】
前者は、レイヤー０のドライブテスト領域がなくなっているため、レイヤー０の途中で中断し、ディスクを取り出すと別の光ディスク装置１２で記録の最適化が行えずファイナライズの再開ができないといった問題を回避するための方法である。
【０１０５】
後者は記録マネジメント情報の更新が不可能なため、中断を行うことができないために実施される方法である。
【０１０６】
（中断の状態１）
まず、第１の中断方法について説明を行う。例えばディスクが図３２に示すように、第１ガード領域Ｚ２、第２ガード領域Ｚ１１、データ領域Ｚ１０のレイヤー０全体とレイヤー１の一部にユーザデータが記録された状態で、ファイナライズが実施された場合、光ディスク装置１２は、まずレイヤー１のデータ領域Ｚ１９をターミネータＴとして、この領域にダミーデータの記録を開始する。
【０１０７】
光ディスク装置１２は、このダミーデータの記録中にファイナライズ中断の指示を受信した場合、ターミネータＴの途中のＥＣＣブロックの境界でダミーデータの記録を中断する。そして、記録マネジメント領域Ｚ７に新たに記録マネジメントデータを記録する。
【０１０８】
このとき、ディスク状態情報はディスクＤがファイナライズの中断状態であることを示す“１１ｂ”にセットし、パディング状態情報の第１ガード領域Ｚ２、第２ガード領域Ｚ１１のパディング状態を表すビットには“１ｂ”を、ターミネータＴの状態を表すビットにはパディングの途中である“０１ｂ”をセットする。さらに、ターミネータＴの最終記録ＰＳＮには、記録したダミーデータの最後のＰＳＮをセットする。これでファイナライズの中断が完了する。
【０１０９】
（中断の状態２）
次に、第２の中断方法について説明を行う。例えば図３３の（ａ）に示すように、第３のガード領域Ｚ１８を記録中にファイナライズ中断の指示を受信した場合、光ディスク装置１２はすぐに記録の中断を行わず、現在記録中の第３のガード領域Ｚ１８の記録を最後まで実行し、ディスクを図３３の（ｂ）の状態にする。そして、記録マネジメント領域Ｚ７に新たに記録マネジメントデータを記録する。
【０１１０】
このとき、ディスク状態情報はディスクがファイナライズの中断状態であることを示す“１１ｂ”にセットし、パディング状態情報の第１ガード領域Ｚ２、第２ガード領域Ｚ１１、第３のガード領域Ｚ１８のパディング状態を表すビットには“１ｂ”を、ターミネータＴの状態を表すビットにはパディングが完了したことを示す“１１ｂ”をセットする。これでファイナライズの中断が完了する。
【０１１１】
（中断の状態３）
次に、第３の中断方法について説明を行う。図３４の（ａ）に示すように光ディスク装置１２が記録マネジメント領域Ｚ７に記録マネジメントデータを記録中で、かつディスク状態情報をファイナライズが完了したことを示す“０３ｈ”にセットしている状態で、ファイナライズ中断の指示を受信した場合、光ディスク装置１２は記録中断をすぐには行わない。そしてファイナライズに必要な残りすべての領域ｍ’を記録し、ファイナライズを完了する。結果として図３４の（ｂ）の状態で処理が完了する。これは図３１の（ｃ）と同様の記録状態となる。
【０１１２】
（ファイナライズ中断処理の手順）
次に、光ディスク装置１２によるファイナライズ中断処理の手順について、図３５乃至図３７のフローチャートを用いて、以下に詳細に説明する。
【０１１３】
・第１の中断フローチャート
第１の中断フローチャート（図３５）では、ファイナライズの開始から中断方法までの基本的な処理を特定する。
【０１１４】
本発明に係る光ディスク装置１２によるファイナライズ中断処理の手順として、図３５のフローチャートに示すように、光ディスク装置１２がホスト１４からディスクのファイナライズの指示、すなわち動作コードがクローズで、識別子が１１０ｂの指示を受信したとする（ステップＳ１１)。指示データのイミディエイトビットが“１ｂ”であった場合、光ディスク装置１２はすぐにファイナライズ動作が可能であるか否かを判断する（ステップＳ１２)。ステップＳ１２でファイナライズが可能であれば、処理に異常がないことを返答する（ステップＳ１３)。そしてファイナライズ動作を開始する（ステップＳ１４）。
【０１１５】
一方、ファイナライズ動作が可能な状態でない場合、ファイナライズ動作が不可能であることをあらわすエラーの報告をホスト１４に返答して（ステップＳ２４）、異常終了とする（ステップＳ２５）。
【０１１６】
光ディスク装置１２は、ターミネータＴ、ガード領域Ｚ２，Ｚ１１，Ｚ１８，Ｚ２０、ドライブテスト領域Ｚ３，Ｚ１２，Ｚ１７，Ｚ２１、記録マネジメントデータ複製領域Ｚ６、記録マネジメント領域Ｚ７、レファレンスコード領域Ｚ９等必要な箇所を順次記録していき、中断の指示がなければそのままファイナライズを完成する（ステップＳ２６，Ｓ２７）。
【０１１７】
しかし、光ディスク装置１２は、ファイナライズ中断の指示を受信し（ステップＳ１５）、更に、指示データのイミディエイトビットが“１ｂ”であった場合、光ディスク装置１２はファイナライズの中断が可能であるか否かを判断し（ステップＳ１６）、可能であれば処理に異常がないことを返答する（ステップＳ１７）。
【０１１８】
一方、ファイナライズ中断が可能でない場合も、光ディスク装置１２がファイナライズ中断機能を備えていれば、処理に異常がないことを返答する（ステップＳ２８）。ただし、この場合はファイナライズは中断せず、ファイナライズ動作を継続して行い（ステップＳ２９）、そして、ファイナライズを完了する（ステップＳ３０）。
【０１１９】
この状況は例えば記録マネジメントデータを記録した後であった場合や、光ディスク装置１２が中断可能な領域を超えて記録を行っている場合などがある。光ディスク装置１２がファイナライズ中断機能を備えていない場合、光ディスク装置１２はファイナライズ中であることを示すエラーか、指示が間違っているとの警告を示すエラーをホスト１４に返答し、そのままファイナライズ動作を最後まで実行する。
【０１２０】
ファイナライズ中断動作に入った光ディスク装置１２は、処理完了をホスト１４に報告し（ステップＳ１７）、現在の記録状態を確認する（ステップＳ１８）。そして、ここで、現在記録を行っているのがターミネータＴ等の即時記録の停止が可能な領域である場合（ステップＳ１９）、光ディスク装置１２は記録をＥＣＣブロックの境界で終了する（ステップＳ２０）。そして、そのＰＳＮを示した記録マネジメントデータを光ディスクＤに記録し、ファイナライズ処理を中断して（ステップＳ２２）、ファイナライズ処理を完了する（ステップＳ２３）。
【０１２１】
すなわち、ファイナライズ処理の中断位置をディスクＤの記録マネジメント情報ＲＭＤのＦｉｅｌｄ０のバイト位置２ＢＰのディスク状態情報として記録する。これは、図２１のパディング状態情報としての形態で記録される。
【０１２２】
パディング情報は光ディスクＤの各領域が記録済み、すなわちパディング済みであるか否かを示す情報である。情報の各ビットがそれぞれの領域に割り当てられており、“１ｂ”であればパディング済み、“０ｂ”であればパディングされていないことを示す。また、１５、１６ビットに関しては、“００ｂ”であれば未記録、“０１ｂ”であれば記録途中、“１０ｂ”であればパディング済みであることを示す。
【０１２３】
一方、ガード領域の記録中などすぐに記録の中断ができない場合（ステップＳ１９）、光ディスク装置１２はその領域を最後まで記録する（ステップＳ２０）。その後、記録済みの領域のパディング状態情報を“１ｂ”にセットし、記録マネジメントデータを光ディスクＤに記録することで、ファイナライズ中断を完了する（ステップＳ２１）。
【０１２４】
・第２の中断フローチャート
第２の中断フローチャート（図３６）では、ファイナライズの中断前に中断所要時間を表示するための処理を更に特定する。
【０１２５】
本発明に係る光ディスク装置１２によるファイナライズ中断処理の手順として、図３６のフローチャートに示すように、光ディスク装置１２がホスト１４からディスクのファイナライズの指示、すなわち動作コードがクローズで、識別子が１１０ｂの指示を受信したとする（ステップＳ４１)。指示データのイミディエイトビットが“１ｂ”であった場合、光ディスク装置１２はすぐにファイナライズ動作が可能であるか否かを判断する（ステップＳ４２)。ステップＳ４２でファイナライズが可能であれば、処理に異常がないことを返答する（ステップＳ４３)。そしてファイナライズ動作を開始する（ステップＳ４４）。
【０１２６】
一方、ファイナライズ動作が可能な状態でない場合、ファイナライズ動作が不可能であることをあらわすエラーの報告をホスト１４に返答して（ステップＳ５８）、異常終了とする（ステップＳ５９）。
【０１２７】
ここで、光ディスク装置１２はホスト１４からファイナライズ中断所領時間情報獲得指令を受信すると（ステップＳ４５）、光ディスク装置１２は、現在のファイナライズの情況を確認する（ステップＳ４６）。そして、この確認結果に応じて、ファイナライズ中断所要時間情報をホスト１４に返答する（ステップＳ４７）。その後、ファイナライズ動作を継続する（ステップＳ４８）。
【０１２８】
なお、ホスト装置では、図４０の（ｃ）に後述するように、このファイナライズ中断所用時間に基づくファイナライズ中断所用時間の残り時間が、例えば２分３１秒、残り処理２０％等のように画面表示される。
【０１２９】
次に、光ディスク装置１２は、ターミネータＴ、ガード領域Ｚ２，Ｚ１１，Ｚ１８，Ｚ２０、ドライブテスト領域Ｚ３，Ｚ１２，Ｚ１７，Ｚ２１、記録マネジメントデータ複製領域Ｚ６、記録マネジメント領域Ｚ７、レファレンスコード領域Ｚ９等必要な箇所を順次記録していき、中断の指示がなければ（ステップＳ４９）、そのままファイナライズを完成する（ステップＳ６０，Ｓ６１）。
【０１３０】
しかし、光ディスク装置１２は、ファイナライズ中断の指示を受信し、更に、指示データのイミディエイトビットが“１ｂ”であった場合（ステップＳ４９）、光ディスク装置１２はファイナライズの中断が可能であるか否かを判断し（ステップＳ５０）、可能であれば処理に異常がないことを返答する（ステップＳ５１）。
【０１３１】
一方、ファイナライズ中断が可能でない場合も、光ディスク装置１２がファイナライズ中断機能を備えていれば、処理に異常がないことを返答する（ステップＳ６２）。ただし、この場合はファイナライズは中断せず、ファイナライズ動作を継続して行い（ステップＳ６３）、そして、ファイナライズを完了する（ステップＳ６４）。
【０１３２】
この状況は例えば記録マネジメントデータを記録した後であった場合や、光ディスク装置１２が中断可能な領域を超えて記録を行っている場合などがある。光ディスク装置１２がファイナライズ中断機能を備えていない場合、光ディスク装置１２はファイナライズ中であることを示すエラーか、指示が間違っているとの警告を示すエラーをホスト１４に返答し、そのままファイナライズ動作を最後まで実行する。
【０１３３】
ファイナライズ中断動作に入った光ディスク装置１２は、処理完了をホスト１４に報告し（ステップＳ５１）、現在の記録状態を確認する（ステップＳ５２）。そして、ここで、現在記録を行っているのがターミネータＴ等の即時記録の停止が可能な領域である場合（ステップＳ５３）、光ディスク装置１２は記録をＥＣＣブロックの境界で終了する（ステップＳ５４）。そして、そのＰＳＮを示した記録マネジメントデータを光ディスクＤに記録してファイナライズ中断して（ステップＳ５６）、ファイナライズ処理を完了する（ステップＳ５７）。
【０１３４】
一方、ガード領域の記録中などすぐに記録の中断ができない場合（ステップＳ５３）、光ディスク装置１２はその領域を最後まで記録する（ステップＳ５４）。その後、記録済みの領域のパディング状態情報を“１ｂ”にセットし、記録マネジメントデータを光ディスクＤに記録することで、ファイナライズ中断を完了する（ステップＳ５５）。
【０１３５】
このように第２のフローチャートでは、途中、ファイナライズ中断所用時間情報が取得され、これが用いられることで、ユーザは、ファイナライズ中断処理にどれくらい時間がかかるのかを知ることができる。
【０１３６】
・第３の中断フローチャート
第３の中断フローチャート（図３７）では、ファイナライズの中断後に中断所要時間を表示するための処理を更に特定する。
【０１３７】
本発明に係る光ディスク装置１２によるファイナライズ中断処理の手順として、図３７のフローチャートに示すように、光ディスク装置１２がホスト１４からディスクのファイナライズの指示、すなわち動作コードがクローズで、識別子が１１０ｂの指示を受信したとする（ステップＳ７１)。指示データのイミディエイトビットが“１ｂ”であった場合、光ディスク装置１２はすぐにファイナライズ動作が可能であるか否かを判断する（ステップＳ７２)。ステップＳ１２でファイナライズが可能であれば、処理に異常がないことを返答する（ステップＳ７３)。そしてファイナライズ動作を開始する（ステップＳ７４）。
【０１３８】
一方、ファイナライズ動作が可能な状態でない場合、ファイナライズ動作が不可能であることをあらわすエラーの報告をホスト１４に返答して（ステップＳ２４）、異常終了とする（ステップＳ７５）。
【０１３９】
光ディスク装置１２は、ターミネータＴ、ガード領域Ｚ２，Ｚ１１，Ｚ１８，Ｚ２０、ドライブテスト領域Ｚ３，Ｚ１２，Ｚ１７，Ｚ２１、記録マネジメントデータ複製領域Ｚ６、記録マネジメント領域Ｚ７、レファレンスコード領域Ｚ９等必要な箇所を順次記録していき、中断の指示がなければそのままファイナライズを完成する（ステップＳ８８，Ｓ８９）。
【０１４０】
しかし、光ディスク装置１２は、ファイナライズ中断の指示を受信し（ステップＳ７５）、更に、指示データのイミディエイトビットが“１ｂ”であった場合、光ディスク装置１２はファイナライズの中断が可能であるか否かを判断し（ステップＳ７６）、可能であれば処理に異常がないことを返答する（ステップＳ７７）。
【０１４１】
一方、ファイナライズ中断が可能でない場合も、光ディスク装置１２がファイナライズ中断機能を備えていれば、処理に異常がないことを返答する（ステップＳ９０）。ただし、この場合はファイナライズは中断せず、ファイナライズ動作を継続して行い（ステップＳ９１）、そして、ファイナライズを完了する（ステップＳ９２）。
【０１４２】
この状況は例えば記録マネジメントデータを記録した後であった場合や、光ディスク装置１２が中断可能な領域を超えて記録を行っている場合などがある。光ディスク装置１２がファイナライズ中断機能を備えていない場合、光ディスク装置１２はファイナライズ中であることを示すエラーか、指示が間違っているとの警告を示すエラーをホスト１４に返答し、そのままファイナライズ動作を最後まで実行する。
【０１４３】
ファイナライズ中断動作に入った光ディスク装置１２は、処理完了をホスト１４に報告し（ステップＳ７７）、現在の記録状態を確認する（ステップＳ７８）。
【０１４４】
光ディスク装置１２は中断の処理を開始するにあたりディスクの現在の状態を確認し、次に中断まで所要時間をメモリにセットする（ステップＳ７９）。ここで、ホスト１４から図２９に示すような中断状態確認の指示が来た場合（ステップＳ８０）、光ディスク装置１２は中断までの残記録量をホスト１４に報告する（ステップＳ８１）。
【０１４５】
なお、ホスト１４では、図４０の（ｃ）に後述するように、このファイナライズ中断所用時間に基づくファイナライズ中断所用時間の残り時間が、例えば２分３１秒、残り処理２０％等のように画面表示される。
【０１４６】
これらの処理を所定の領域が記録されるまでパディングを継続していく（ステップＳ８３）。そして、ファイナライズ処理が完了した時点で記録マネジメント情報を更新し（ステップＳ８４）、ファイナライズ処理中断が完了する（ステップＳ８５）。
【０１４７】
（ライティングソフトＧＵＩ：中断）
次に本発明の実施形態の一つであるライティングソフトやレコーダの機能について説明を行う。本発明に係るライティングソフトは例えばＰＣソフトとして図１のＰＣ１８に実装され、ＧＵＩ（Graphical user interface）を有し、光ディスク装置１２のホスト１４として機能する。ライティングソフトはＧＵＩもしくはコマンドを通じてユーザから命令を受けた場合、その命令に応じて光ディスク装置１２に指示を出す。またレコーダは光ディスク装置１２と同時にホスト１４を内臓しており、ホスト１４はライティングソフトと同様の機能、すなわちユーザから命令をうけとり、光ディスク装置１２に指示をだす機能を有している。
【０１４８】
ここで、本発明に係るホスト１４は特に、ユーザからファイナライズの中断命令を受け取る機能、例えば図３９の（ａ）に示されるようなＧＵＩのボタンであったり、キーボードのショートカットキー等にわりあてられた機能を有している。
【０１４９】
また、ユーザからのファイナライズ中断の命令に対応して、光ディスク装置１２に中断の指示を出す機能、また、中断中もしくは中断の直前に光ディスク装置１２の中断機能の確認、中断状態の確認を指示する機能を有する。
【０１５０】
ここで、図３９の（ａ）に示すＧＵＩは、光ディスク装置１２が通常の記録処理を行なっている際の画面であり、“ディスクを閉じる”のボタンが選択されることで、ファイナライズ処理が開始され、その際には例えば７２分１５秒の所要時間がかかることが示されている。
【０１５１】
また、図３９の（ｂ）に示すＧＵＩは、光ディスク装置１２がファイナライズ処理が実行されている際の画面であり、“中断”のボタンが選択されることでファイナライズ中断処理が開始される。また、現在のファイナライズ処理は、約５０％処理されており、残りのファイナライズ処理の所要時間は、３６分７秒であることが示されているが、経過時間、経過パーセンテージを表示することも好適である。
【０１５２】
また、図３９の（ｃ）に示すＧＵＩは、光ディスク装置１２がファイナライズ処理の中断処理を行なっている際の画面であり、“中断”のボタンが選択されており、ファイナライズ中断処理は、約２０％処理されており、例えば２分３１秒の所要時間がかかることが示されているが、同様に、経過時間、経過パーセンテージを表示することも好適である。
【０１５３】
ここで、ライティングソフトは光ディスク装置１２からの返答が図２９に示されるようなものであった場合、その値をそのままインジケータとして表示する。図２７の形式であった場合にはＧＵＩにすでに記録した領域や残りの領域を表示したり、光ディスクＤの各領域のサイズから残ＥＣＣブロック数を計算したり、記録速度から暫時間を計算したりして表示を行う機能を有する。また、返答が図２８のような形式であった場合も同様である。
【０１５４】
（ファイナライズ中断処理の光ディスクのファイナライズ再開処理）
次に、ファイナライズ中断の処理が既に行われた光ディスクＤが光ディスク装置１２に挿入された場合の、ホスト１４及び光ディスク装置１２の処理について説明を図３８のフローチャートを用いて行う。
【０１５５】
ホスト１４は構成状態問い合わせ指示等によって、定期的に光ディスク装置１２の状況を確認している（ステップＳ１０１）。光ディスクＤが挿入された場合、ホスト１４は、その種類やディスクの記録状態の情報を得る（ステップＳ１０２）。そして、ディスク／装置の種別確認情報の報告（ステップＳ１０３）、ディスクの状態確認指令の受信（ステップＳ１０４）、ディスクの状態確認情報の報告（ステップＳ１０５）を行なう。
【０１５６】
そして、挿入された光ディスクＤが追記ディスクであり、ファイナライズ中断状態であった場合、ユーザデータの追加記録は行えないので、ホスト１４はホストの書き込み機能をイネーブルにする、ＧＵＩに書き込みができないことを表示する等の処理をおこなう。
【０１５７】
さらに、状況によっては挿入されたディスクＤがファイナライズ中断状態である場合は（ステップＳ１０６）、互換性向上のためには、図４１の（ｂ）のようなファイナライズを再開することを示唆する表示を行う。またユーザがデータの読み出し等の処理を終えてディスクを取り出す際に、もしディスクがまだファイナライズ中断状態であれば、ホスト１４は図４１の（ａ）に示すように、取り出し前にファイナライズを再開することを促す表示を出力する。なお、挿入されたディスクＤがファイナライズ中断状態でない場合は、通常の記録／再生動作に移行する（ステップＳ１０７）。
【０１５８】
ファイナライズ中断状態である場合は、ホスト１４は図２７の指示の返答等を利用してファイナライズまでにかかる時間がどの程度かを表示することも可能である。ここで、ユーザがファイナライズの再開を選択した場合には（ステップＳ１０８）、処理完了を報告し（ステップＳ１０９）、ホスト１４は光ディスク装置１２にファイナライズの指示を出し、光ディスク装置１２はこのファイナライズの再開指示を受けて、光ディスクＤのファイナライズを再開する（ステップＳ１１０）。
【０１５９】
すなわち、光ディスクＤの記録マネジメント情報ＲＭＤのＦｉｅｌｄ０のバイト位置２ＢＰのディスク状態情報として記録されたパディング状態情報を読み出し、この情報に基づいて、ファイナライズすべき領域を決定し、パディングを進めるものである。
【０１６０】
このとき、レコーダの図示しない表示部等に図３９の（ｂ）が示すようなＧＵＩを表示することが好適である。
【０１６１】
又、パディング情報は光ディスクＤの各領域が記録済み、すなわちパディング済みであるか否かを示す情報である。情報の各ビットがそれぞれの領域に割り当てられており、“１ｂ”であればパディング済み、“０ｂ”であればパディングされていないことを示す。また、１５、１６ビットに関しては、“００ｂ”であれば未記録、“０１ｂ”であれば記録途中、“１０ｂ”であればパディング済みであることを示す。
【０１６２】
このように本発明に係るホスト１４（又は光ディスク装置）は、光ディスクＤの挿入及び取り出し時にユーザにファイナライズが中断されている光ディスクであることを警告し、再開を促して再びファイナライズ処理を行なう機能を有している。
【０１６３】
また、他の実施形態として、情報記録装置のコントローラ２９の働きとして、新たな記録媒体Ｄが与えられると、ヘッド部でその記録媒体の管理情報ＲＭＤを自動的に読み取り、管理情報ＲＭＤに基づいてその記録媒体がファイナライズ処理を中断したことを検出した場合、指示信号がなくとも自動的にその記録媒体のファイナライズ処理を再開することが好適である。
【０１６４】
（ソフト側中断処理のフローチャート）
次に、ソフト側中断処理について、図３９のフローチャートを用いて詳細に説明する。  
すなわち、上述したファイナライズ処理の動作は、上述したように光ディスク装置１２の働きとして設けられるだけではなく、光ディスク装置１２に接続されるホスト１４の働きとして設けられることが好適である。更に、ホスト１４で使用されるコンピュータプログラムの働きとして設けられることが好適である。
【０１６５】
ホスト１４は、図３９に示すように、ユーザからファイナライズの要求を受けた場合（ステップＳ１２１）、光ディスク装置１２に対してファイナライズの指示を出す（ステップＳ１２２）。ここでイミディエイトを１ｂとして指示を出した場合、光ディスク装置１２が正常に動作していれば、処理完了の報告を受信することになる（ステップＳ１２３）。
【０１６６】
続いてホスト１４は光ディスク装置１２に定期的に装置の状態確認の指示を送信する（ステップＳ１２４）。光ディスク装置１２からはそれに対してファイナライズ処理の状況が返答される（ステップＳ１２５）。
【０１６７】
一方、ホスト１４は、その返答に合わせてＧＵＩの表示や処理過程のインジケータ表示を更新する（ステップＳ１２６）。ここで、ユーザからファイナライズ中断の要求が無い場合には（ステップＳ１２７）、そのままファイナライズが完了する（ステップＳ１２８）。ファイナライズが完了したらホスト１４はファイナライズの完了を表示する（ステップＳ１２９）。
【０１６８】
一方、ファインライズの中断要求があった場合（ステップＳ１２７）、ホスト１４はファイナライズ中断の指示を光ディスク装置１２に送信する（ステップＳ１３０）。ここでイミディエイトを１ｂとして指示を出した場合、光ディスク装置１２が正常に動作していれば、処理完了の報告を受信することになる（ステップＳ１３１）。
【０１６９】
続いてホスト１４は光ディスク装置１２に定期的に装置の状態確認の指示を送信する（ステップＳ１３２）。この指示は例えば図２９に示すようなビット構成になっている。続いてホスト１４は光ディスク装置１２から返答を受信し（ステップＳ１３３）、その返答に合わせて、ＧＵＩの表示や処理過程のインジケータ表示を更新する（ステップＳ１３４）。これによってユーザは中断までの処理の状況を常に確認することが可能となる。
【０１７０】
光ディスク装置１２からの返答により、ファイナライズの中断処理が完了したことが確認できたら（ステップＳ１３５）、ホスト１４はＧＵＩを変更し、ファイナライズの中断を完了する（ステップＳ１３６）。
【０１７１】
（拡張ガード領域が形成された場合のファイナライズ中断）
次に、図３２乃至図３４の３つの中断状態以外の中断状態の例を以下に説明する。
【０１７２】
図４２を用いて、予約領域（Ａ）を設け更にこれに応じた第３拡張ガード領域（Ｂ）を設けた場合の中断状態（４）を説明する。
【０１７３】
図４２の（ａ）は、ＲゾーンＲの予約が予約領域（Ａ）により行われた状態を示している。図中の（Ａ）にあたる部分はもともとデータ領域であるが、ＲゾーンＲの予約処理により予約されたＲゾーンＲとなる。
【０１７４】
また、図中の（Ｂ）にあたる部分は（Ａ）の部分とほぼ重なりあう領域で、クリアランスの分だけ外周側に伸びた領域となっている。これは第３拡張ガード領域と呼ばれる領域である。
【０１７５】
図４２の（ｂ）はユーザデータの記録途中の状態を示している。ユーザデータは予約されたＲゾーンＲの一部と残りのユーザデータの一部に記録が行われている。このディスクをファイナライズするためには、ＲゾーンＲの予約が行われていないディスクのファイナライズのための記録領域に加え、予約されたＲゾーンＲ及び第２拡張ガード領域（Ｂ）もパディングする必要がある。
【０１７６】
ファイナライズの指示があった場合、ターミネータＴの記録、光ディスク装置１２は予約されたＲゾーンＲの未記録領域のパディング、第２拡張ガード領域（Ｂ）の記録といったように順次記録を実行していく。
【０１７７】
ここで、図４２の（ｃ）に示すように、予約されたＲゾーンＲの途中を記録している最中に、ファイナライズ中断の指示を受け取った場合、光ディスク装置１２はすぐに記録を中断し、記録マネジメント情報のＲゾーンＲ番号ｎの最終記録ＰＳＮを変更して、中断を完了することが可能である。一方、ＲゾーンＲを最後まで記録し、この時点で中断をおこなうことも可能である。この場合、処理時間はかかるが互換性が向上する。
【０１７８】
また、図４２の（ｄ）に示すように第３拡張ガード領域の記録途中にファイナライズ中断の指示を受け取った場合、ターミネータＴと同様に光ディスク装置１２はすぐに記録を中断し、ターミネータＴの最終記録ＰＳＮを更新してファイナライズを中断する。このように、第３拡張ガード領域（Ｂ）はターミネータＴの一部として扱うことが可能となる。
【０１７９】
（外周管理領域が拡張された場合のファイナライズ中断）
次に、図４３の（ａ）及び（ｂ）を用いて、第２拡張ガード領域（Ｃ）、第１拡張ガード領域（Ｆ）、第１拡張ドライブテスト領域（Ｄ）、拡張ブランク領域（Ｇ）、拡張ブランク領域（Ｅ）を形成した場合の中断状態（５）を説明する。
【０１８０】
この図４３の（ａ）の場合は、図４３の（ｂ）に示すように、ファイナライズの際には少なくとも第１拡張ガード領域（Ｆ）、第２拡張ガード領域と（Ｃ）はパディングされる必要がある。
【０１８１】
例えば、第１拡張ガード領域の記録途中で中断の指示を受信した場合には、第１拡張ガード領域を最後まで記録し、パディング状態情報を更新して中断を完了する。ここで、パディング状態情報には第１拡張ガード領域のためのビットが割り当てられていないが、第１及び第２拡張ガード領域が生成された場合には、ビット位置７の情報は第３ガード領域ではなく、第１拡張ガード領域の状態を表すこととする。従って、第１拡張ガード領域が存在する場合、第３ガード領域の記録状態にかかわらず、第１拡張ガード領域が未記録であれば０ｂ、パディングが完了していれば１ｂが保存される。
【０１８２】
次に、図４３の（ｃ）及び（ｄ）を用いて、第２拡張ガード領域（Ｃ）、第１拡張ガード領域（Ｆ）、拡張ブランク領域（Ｇ）を形成した場合の中断状態（５）を説明する。
【０１８３】
この図４３の（ｃ）の場合は、図４３の（ｄ）に示すように、ファイナライズの際には第２拡張ガード領域（Ｃ）と第１拡張ガード領域（Ｆ）を最後まで記録し、図４２の（ｂ）もしくは（ｄ）の状態としなければならない。
【０１８４】
例えば、第１拡張ガード領域の記録途中で中断の指示を受信した場合には、第１拡張ガード領域を最後まで記録し、パディング状態情報を更新して中断を完了する。
【０１８５】
（データ記録の最終位置がレイヤー０の途中でファイナライズされた場合のファイナライズ中断）
次に、データ記録の最終位置がレイヤー０の途中でファイナライズされた場合のファイナライズ中断状態（６）及び中断状態（６）を図４４及び図４５を用いて説明する。
【０１８６】
初めに、図４４が示す中断状態（７）を説明する。  
図４４の（ａ）は、レイヤー０のデータエリアＺ１０にユーザデータが途中までしか記録されていない状態でファイナライズが行われた場合を示している。
【０１８７】
図４４の（ａ）に示すような、ユーザデータがレイヤー０の途中でファイナライズの指示があった場合、図４４の（ｂ）に示すように光ディスク装置１２は、レイヤー０に所定量をターミネータし、また、それに重なるレイヤー１のデータ領域もターミネータＴとする。レイヤー０のターミネータＴとならないデータ領域はブランク領域としてデータを記録しなくとも良い。ここで、ターミネータＴ記録中にファイナライズ中断の指示を受信した場合には、図３２の状況と同様にＥＣＣブロック単位で記録を中断し、記録マネジメント情報を更新してファイナライズの中断を完了する。
【０１８８】
次に、図４５が示す中断状態（７）を説明する。  
図４５の（ａ）のように、レイヤー０のデータエリアＺ１０のかなり外周まで記録が進んでいる場合には、図４５の（ｂ）及び（ｃ）に示すように、レイヤー０の残りの領域をターミネータＴとすることに加え、ファイナライズのためには第２ガード領域Ｚ１１もパディングする必要がある。
【０１８９】
この場合、第２ガード領域記録中にファイナライズ中断コマンドを受信したら、光ディスク装置１２は図４５の（ｄ）に示すように、第２ガード領域Ｚ１１を最後まで記録する必要があり、記録マネジメント情報を更新して中断を完了する。
【０１９０】
＜ホストのその他の機能＞
これまでの説明ではホスト１４はユーザの指示でファイナライズを中断、もしくは再開する手順について説明を行ったが、このほかの実施形態として、ノートパソコンやカムコーダなど電力の管理が必要となる装置ではホスト１４が装置の電力を監視し、電力が一定値を下回った場合にはホスト１４は光ディスク装置１２にファイナライズ中断の指示をだし、ファイナライズを中断する機能を有する。この場合でも本発明に係るファイナライズ中断方法であれば、中断したディスクのファイナライズの再開を中断したドライブでなくても可能であるという利点が有る。
【０１９１】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【０１９２】
【図１】本発明の一実施形態に係る情報記録再生システムの構成の一例を示す説明図。
【図２】本発明の一実施形態に係る情報記録再生システムの他の構成の一例を示す説明図。
【図３】本発明の一実施形態に係る光ディスク装置の構成の一例を示すブロック図。
【図４】本発明の一実施形態に係る複数の情報記録再生層を有する２層光ディスクの構成の一例を示す説明図。
【図５】本発明の一実施形態に係る複数の情報記録再生層を有する２層光ディスクの各レイヤーのレイアウトの一例を示す説明図。
【図６】本発明の一実施形態に係る２層光ディスクの層間クロストークを説明するための説明図。
【図７】本発明の一実施形態に係る２層光ディスクのクリアランスークを説明するための説明図。
【図８】本発明の一実施形態に係る光ディスクにおけるクリアランス（記録禁止領域）を説明する説明図。
【図９】本発明の一実施形態に係る２層光ディスクの記録可能領域の詳細なレイアウトの一例を示す説明図。
【図１０】本発明の一実施形態に係る２層光ディスクのレイヤー０に設けられたエンボス領域のフォーマット情報の内容を示す説明図。
【図１１】本発明の一実施形態に係る２層光ディスクのデータエリア構造の詳細な内容を示す説明図。
【図１２】本発明の一実施形態に係る２層光ディスクの記録可能管理領域のフォーマット情報の詳細な内容を示す説明図。
【図１３】本発明の一実施形態に係る２層光ディスクの記録可能管理領域のフォーマット情報におけるデータエリア構造の内容を示す説明図。
【図１４】本発明の一実施形態に係る２層光ディスクの記録可能管理領域のフォーマット情報におけるボーダーゾーンの開始物理セクター番号の詳細な内容を示す説明図。
【図１５】本発明の一実施形態に係る２層光ディスクの記録マネジメント情報複製領域と記録マネジメント領域の構成の一例を示す説明図。
【図１６】本発明の一実施形態に係る２層光ディスクのマネジメント領域の詳細な内容を示す説明図。
【図１７】本発明の一実施形態に係る２層光ディスクの記録マネジメントデータの構成の一例を示す説明図。
【図１８】本発明の一実施形態に係る２層光ディスクの記録マネジメント情報のフィールド０の内容の一例を示す説明図。
【図１９】本発明の一実施形態に係る２層光ディスクの記録マネジメントデータ内のデータエリア構造の詳細の一例を示す説明図。
【図２０】本発明の一実施形態に係る２層光ディスクの更新データエリア構造の内容の一例を示す説明図。
【図２１】本発明の一実施形態に係る２層光ディスクのパディング状態情報の内容の一例を示す説明図。
【図２２】本発明の一実施形態に係る２層光ディスクの記録マネジメント情報のフィールド３の内容の一例を示す説明図。
【図２３】本発明の一実施形態に係る２層光ディスクの記録マネジメント情報のフィールド４，５，６，…２１の内容の一例を示す説明図。
【図２４】本発明の一実施形態に係る光ディスク装置（ディスクドライブ装置）が持つコマンドの一例を示す説明図。
【図２５】本発明の一実施形態に係る光ディスク装置（ディスクドライブ装置）に与えるファイナライズの中断及び再開の指示信号のビット構成の一例を示す説明図。
【図２６】本発明の一実施形態に係る光ディスク装置（ディスクドライブ装置）に与えるディスク状態確認指示信号のビット構成の一例を示す説明図。
【図２７】本発明の一実施形態に係る光ディスク装置（ディスクドライブ装置）に与える指示に応じた光ディスク装置からの返答データのビット構成の一例を示す説明図。
【図２８】本発明の一実施形態に係るホストからの中断機能確認指示のデータのビット構成の一例を示す説明図。
【図２９】本発明の一実施形態に係るホストからの中断状態確認指示のビット構成の一例を示す説明図。
【図３０】本発明の一実施形態に係る光ディスク装置（ディスクドライブ装置）によるファイナライズ処理による光ディスクの状態遷移図の一例を示す説明図。
【図３１】本発明の一実施形態に係る光ディスク装置（ディスクドライブ装置）による空状態からファイナライズ状態までの光ディスクの各領域の記録状態の一例を示す説明図。
【図３２】光ディスク装置（ディスクドライブ装置）によるファイナライズ処理を中断した場合の光ディスクの各領域の記録状態の一例を示す説明図。
【図３３】光ディスク装置（ディスクドライブ装置）によるファイナライズ処理を中断した場合の光ディスクの各領域の記録状態の他の一例（区切りの良い所で中断）を示す説明図。
【図３４】光ディスク装置（ディスクドライブ装置）によるファイナライズ処理を中断した場合の光ディスクの各領域の記録状態の他の一例（中途半端な位置なので中断を中止する場合）を示す説明図。
【図３５】光ディスク装置（ディスクドライブ装置）のファイナライズ処理の基本的な動作の一例を示すフローチャート。
【図３６】光ディスク装置（ディスクドライブ装置）のファイナライズ処理の記録量等を判断した後にファイナライズ中断を行なう場合の動作の一例を示すフローチャート。
【図３７】光ディスク装置（ディスクドライブ装置）のファイナライズ処理の記録量等を判断した後にファイナライズ中断を行なう場合の動作の他の一例を示すフローチャート。
【図３８】光ディスク装置（ディスクドライブ装置）のディスク挿入時におけるファイナライズ再開動作の一例を示すフローチャート。
【図３９】光ディスク装置（ディスクドライブ装置）のファイナライズ処理に表示するＧＵＩの一例を示す説明図。
【図４０】光ディスク装置（ディスクドライブ装置）のディスク取り出し前にファイナライズ再開を促す画面を表示する場合のフローチャート。
【図４１】光ディスク装置（ディスクドライブ装置）のディスク取り出し前にファイナライズ再開を促す画面の一例を説明する説明図。
【図４２】光ディスク装置（ディスクドライブ装置）によるファイナライズ処理を中断した場合の光ディスクの各領域の記録状態の一例を示す説明図。
【図４３】光ディスク装置（ディスクドライブ装置）によるファイナライズ処理を中断した場合の光ディスクの各領域の記録状態の一例を示す説明図。
【図４４】光ディスク装置（ディスクドライブ装置）によるファイナライズ処理を中断した場合の光ディスクの各領域の記録状態の一例を示す説明図。
【図４５】光ディスク装置（ディスクドライブ装置）によるファイナライズ処理を中断した場合の光ディスクの各領域の記録状態の一例を示す説明図。
【符号の説明】
【０１９３】
Ｄ…光ディスク、２１…光学ピックアップ、２９…コントローラ（ファイナライズ処理）。
【図１】
2008010116.tif 000003
【図２】
2008010116.tif 000004
【図３】
2008010116.tif 000005
【図４】
2008010116.tif 000006
【図５】
2008010116.tif 000007
【図６】
2008010116.tif 000008
【図７】
2008010116.tif 000009
【図８】
2008010116.tif 000010
【図９】
2008010116.tif 000011
【図１０】
2008010116.tif 000012
【図１１】
2008010116.tif 000013
【図１２】
2008010116.tif 000014
【図１３】
2008010116.tif 000015
【図１４】
2008010116.tif 000016
【図１５】
2008010116.tif 000017
【図１６】
2008010116.tif 000018
【図１７】
2008010116.tif 000019
【図１８】
2008010116.tif 000020
【図１９】
2008010116.tif 000021
【図２０】
2008010116.tif 000022
【図２１】
2008010116.tif 000023
【図２２】
2008010116.tif 000024
【図２３】
2008010116.tif 000025
【図２４】
2008010116.tif 000026
【図２５】
2008010116.tif 000027
【図２６】
2008010116.tif 000028
【図２７】
2008010116.tif 000029
【図２８】
2008010116.tif 000030
【図２９】
2008010116.tif 000031
【図３０】
2008010116.tif 000032
【図３１】
2008010116.tif 000033
【図３２】
2008010116.tif 000034
【図３３】
2008010116.tif 000035
【図３４】
2008010116.tif 000036
【図３５】
2008010116.tif 000037
【図３６】
2008010116.tif 000038
【図３７】
2008010116.tif 000039
【図３８】
2008010116.tif 000040
【図３９】
2008010116.tif 000041
【図４０】
2008010116.tif 000042
【図４１】
2008010116.tif 000043
【図４２】
2008010116.tif 000044
【図４３】
2008010116.tif 000045
【図４４】
2008010116.tif 000046
【図４５】
2008010116.tif 000047